(57)【要約】【課題】  本体の大きさを必要以上に大きくすることなく、より多くの食器類を載置可能で、より使い勝手の良い食器洗い機を実現する。【解決手段】  食器類を配置し洗浄する洗浄槽２と、洗浄槽２の内部に設けられて洗浄水を噴射する１つ以上の回転洗浄ノズル１８とを備え、回転洗浄ノズル１８を、回転軸部１９と水平通水路部２０とを有しかつ回転軸部１９の上端２４が水平通水路部２０の下面２５よりも上方に位置するように形成した。【選択図】      図３
2005342320.tif 000002
【特許請求の範囲】
【請求項１】
食器類を配置し洗浄する洗浄槽と、洗浄槽の内部に設けられて洗浄水を噴射する１つ以上の回転洗浄ノズルとを備え、回転洗浄ノズルは、回転軸部と水平通水路部とを有しかつ回転軸部の上端が水平通水路の下面よりも上方に位置するように形成したことを特徴とする食器洗い機。
【請求項２】
水平通水路部の端部を押し下げたときに、反対側の端部の高さが水平通水路部上面の回転軸上方部位と略同じ高さになるように、洗浄槽に設けた軸受け部と回転洗浄ノズルの回転軸部との隙間を設定したことを特徴とする請求項１記載の食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来、この種の食器洗い機は図４〜図６に示すように構成されていた。以下、その構成について説明する。図４に示すように、食器洗い機１は、内部に洗浄槽２が設けられ、この洗浄槽２の底部に排水孔３が設けられている。排水孔３の他側部に連通して配設されたポンプ室にモータ４によって駆動される洗浄ポンプ５が配設され、洗浄ポンプ５により洗浄水を洗浄槽２の内部に循環するよう構成されている。この循環は、洗浄水が排水孔４から洗浄ポンプ５に吸い込まれ、洗浄ポンプ５より洗浄槽２の内底部に配設された洗浄ノズル６に供給され、この洗浄ノズル６から食器類７に向けて噴射され、食器類７を洗浄した後、再び排水孔４に戻るという経路で行われる。
【０００３】
洗浄ノズル６と洗浄槽２の底部との間には、洗浄水加熱用のヒータ８が配設されている。また、洗浄ノズル６の上方には、食器類７を整然と配置して洗浄水を効果的に食器類７に噴射して効率的に洗浄を行えるように構成された食器かご９が設置されている。
【０００４】
また、洗浄槽２は前方に開口しており、その前面部には、前方に開閉自在とした蓋１０が配設されている。排水ポンプ１１は、排水ホース１２を通して洗浄水を機外に排出するものである。
【０００５】
洗浄ノズル６は、図５、図６に示すように、回転軸部１３と水平通水路部１４とからなり、洗浄槽２の底部に設けられた軸受け部１５に回転自在に軸支されている。そして、洗浄ポンプ５より吐出された洗浄水が、回転軸部１３下端の開口部１６より流入し、回転軸部１３内を通り、水平通水路部１４を通って複数の噴射口１７より食器類７に向かって噴出するように構成されている（例えば、特許文献１参照。）。
【特許文献１】特開平１１−１４２８６１号公報
【発明の開示】
【発明が解決しようとする課題】
【０００６】
ところで、日本の狭い台所に設置される食器洗い機１においては、その外形寸法を変えずに食器かご９に収容する食器類７の数を増すことが求められており、そのため洗浄槽２内の空いている空間に、いかに食器類７を入れるかが重要な課題となっている。その方法の一つとして、洗浄槽２の内底面と食器かご９との間の洗浄ノズル６が配設されている空間の上下隙間を狭くし、食器かご９の上方空間を大きくすることが考えられる。
【０００７】
本発明は、上記課題を解決するもので、洗浄槽内の空間を有効活用し、より多くの食器類を収容可能として使い勝手を向上した食器洗い機の提供を目的としている。
【課題を解決するための手段】
【０００８】
本発明の食器洗い機は、食器類を配置し洗浄する洗浄槽と、洗浄槽の内部に設けられて洗浄水を噴射する１つ以上の回転洗浄ノズルとを備え、回転洗浄ノズルは、回転軸部と水平通水路部とを有しかつ回転軸部の上端が水平通水路の下面よりも上方に位置するように形成したものである。
【０００９】
洗浄槽の内底面と食器かごの下端との間の上下隙間は、回転洗浄ノズルの回転軸部の高さと、水平通水路部高さと、洗浄ノズルの噴射回転時の上下がたつき及び傾斜時の端部高さと、食器かごのたわみ量などから決まるものである。そして、回転軸部の高さは回転洗浄ノズルを安定的に回転自在に支持するために最低必要高さが決まり、洗浄ノズルの水平通水路高さは洗浄水の流量と異物つまり対策から最低必要高さが決まり、食器かごのたわみ量も構成上最低必要高さが決まり、洗浄ノズルの噴射回転時の上下がたつきは異物つまり対策から最低必要高さが決まる。
【００１０】
上記の構成によれば、上記のような条件下でも、回転洗浄ノズルの回転軸部の高さ寸法と水平通水路部高さを確保しながら、回転軸部の下端に対して水平通水路部上端の高さ位置を低くすることができ、その分洗浄槽内空間の内、洗浄槽の内底面、すなわち回転洗浄ノズルの下端と食器かごの下端との間の上下隙間を狭くし、食器かごの上方空間を大きくすることができ、より多くの食器類が収容可能となり、使い勝手を向上することができる。
【００１１】
また、水平通水路部の端部を押し下げたときに、反対側の端部の高さが水平通水路部上面の回転軸上方と略同じ高さになるように、洗浄槽に設けた軸受け部と回転洗浄ノズルの回転軸部との隙間を設定すると、回転洗浄ノズル傾斜時の端部高さが低く規制されるため、洗浄槽の内底面、すなわち回転洗浄ノズルの下端と食器かごの下端との間の上下隙間を狭くし、食器かごの上方空間を大きくすることができ、洗浄槽内の空間をより有効に利用でき、より多くの食器類を収容可能となり、使い勝手を向上することができる。
【発明の効果】
【００１２】
本発明の食器洗い機は、回転洗浄ノズルの回転軸部の上端を水平通水路の下面よりも上方に位置するように形成したことにより、洗浄槽内空間の内、洗浄ノズルの下端と食器かごの下端との間の上下隙間を狭くし、食器かごの上方空間を大きくすることができ、より多くの食器類を収容可能として使い勝手を向上することができる。
【発明を実施するための最良の形態】
【００１３】
以下、本発明の食器洗い機の一実施形態について、図１〜図３を参照しながら説明する。なお、図４を参照して説明した従来例の食器洗い機と同じ構成要素については同一参照符号を付して説明を省略する。また、本発明は本実施形態によって限定されるものではない。
【００１４】
本実施形態の食器洗い機１において、図１〜図３に示すように、回転洗浄ノズル１８は、回転軸部１９と水平通水路部２０からなり、洗浄槽２の内底面上に設けられた軸受け部２１に回転自在に軸支されている。洗浄ポンプ５より吐出された洗浄水は、回転軸部１９下端の開口部２２より流入し、回転軸部１９内を通り、水平通水路部２０を通って複数の噴射口２３より食器類７に向かって噴出する。
【００１５】
回転洗浄ノズル１８は、図２、図３に示すように、回転軸部１９の上端２４が水平通水路部２０の下面２５よりも上方に位置するように形成されている。また、回転洗浄ノズル１８が傾斜したときに、その端部２６が水平通水路部２０の最も高い部位、すなわち水平通水路部２０上面の回転軸部１９上方部位２７と略同じ高さになるように、回転軸部１９と軸受け部２１との隙間が設定されている（例えば、片側０．２５ｍｍ）。
【００１６】
以上の本実施形態の構成によれば、回転洗浄ノズル１８の回転軸部１９の高さ寸法と水平通水路部２０高さを確保しながら、回転軸部１９の下端、すなわち洗浄槽２の内底面に対して水平通水路部２０上端の高さ位置を低くすることができ、その分洗浄槽２の内底面と食器かご９の下端との間の上下隙間を狭くし、食器かご９の上方空間を大きくすることができ、より多くの食器類を収容可能として使い勝手を向上することができる。
【００１７】
また、回転洗浄ノズル１８が傾斜した時の端部２６の高さが水平通水路部２０の最も高い部位、すなわち水平通水路部２０上面の回転軸部１９上方部位２７より高くならないようにしたことにより、回転洗浄ノズル１８の下端、すなわち洗浄槽２の内底面と食器かご９の下端のと間の上下隙間を従来技術によるものよりも狭くすることができ、これにより食器かご９の位置を下げることができるので、洗浄槽２内の空間をより有効に利用でき、より多くの食器類７を一度に洗浄することができる。
【産業上の利用可能性】
【００１８】
本発明の食器洗い機は、回転洗浄ノズルをその回転軸部の上端が水平通水路の下面よりも上方に位置するように形成したことにより、本体を大きくすることなく、より多くの食器類を洗浄可能でかつ使い勝手が向上するため、一般家庭用の食器洗い機等として有用である。
【図面の簡単な説明】
【００１９】
【図１】本発明の一実施形態の食器洗い機の断面図である。
【図２】同食器洗い機の洗浄ノズルの全体断面図である。
【図３】同洗浄ノズルの部分断面図である。
【図４】従来例の食器洗い機の断面図である。
【図５】同食器洗い機の洗浄ノズルの全体断面図である。
【図６】同洗浄ノズルの部分断面図である。
【符号の説明】
【００２０】
１  食器洗い機
２  洗浄槽
１８  回転洗浄ノズル
１９  回転軸部
２０  水平通水路部
２１  軸受け部
２４  回転軸部１９の上端
２５  水平通水路部２０の下面
２６  水平通水路部２０の端部
２７  水平通水路部２０上面の回転軸部１９上方部位
【図１】
2005342320.tif 000003
【図２】
2005342320.tif 000004
【図３】
2005342320.tif 000005
【図４】
2005342320.tif 000006
【図５】
2005342320.tif 000007
【図６】
2005342320.tif 000008